(57)【特許請求の範囲】
【請求項１】
光ファイバコードのテンションメンバを支持するテンションメンバ支持部と、その手前となる光ファイバコード引き込み側に配置され前記光ファイバコードを貼り付け可能とする貼着部と、貼着部の外側となる左右端位置に配置される脚部を有し、前記貼着部を覆うように設置可能な固定プレートとを有し、
前記脚部を下に向けた状態ではバンドによる光ファイバコードの固定を可能とし、反転して前記脚部を上に向けた状態では前記貼着部と固定プレートによる光ファイバコードの挟持固定が可能であって、前記貼着部に光ファイバコードを仮保持させて前記固定プレートにより固定可能とした光ファイバコード支持構造。
【請求項２】
テンションメンバ支持部と貼着部とを専用の支持台上に形成すると共に、その支持台に固定プレートの脚部を挿入可能な挿入溝を設け、固定プレートの脚部を前記挿入溝に挿入した状態と挿入しない状態との２通りで設置可能とした請求項１記載の光ファイバコード支持構造。
【請求項３】
貼着部が、その下部に緩衝材を有する請求項１記載の光ファイバコード支持構造。
【発明の詳細な説明】
【０００１】
【発明の属する技術分野】
本発明は、光ケーブル接続用ケース等において入出する光ファイバコードを支持する支持構造に関する。
【０００２】
【従来の技術】
光通信機等に接続された複数の光ファイバコードと光ケーブルの心線とを接続する箇所等に使用される光ケーブル接続用ケース等では、引き込まれた光ファイバコードは、引き込み口付近で挟持部材等により一括して挟持固定されたり、個々にバンドにより筐体等に縛り付け固定され、内部のテンションメンバは個々にネジ止め等で支持されていた。
【０００３】
【発明が解決しようとする課題】
しかし、上記従来の光ファイバコードを一括して支持固定する形態は、支持作業に際して光ファイバコードの配置や引き込み長を揃える作業が面倒であるし、メンテナンス作業においても、光ファイバコードを追加したり削除したりする際、全ての光ファイバコードの固定を一端解除して作業しなければ成らず、一括して支持するにも拘わらず面倒であった。また、個々にバンド固定する支持形態を選択したい場合は支治具全体を交換しなければならなかった。
【０００４】
そこで本発明は、上記問題点に鑑み、複数の光ファイバコードの一括支持操作を容易に行うことを可能にすると共に、バンドによる支持への変更も部材を変更することなく行うことのできる光ファイバコードの支持構造を提供することを課題とする。
【０００５】
【課題を解決するための手段】
上記課題を解決するため、請求項１の発明は、光ファイバコードのテンションメンバを支持するテンションメンバ支持部と、その手前となる光ファイバコード引き込み側に配置され前記光ファイバコードを貼り付け可能とする貼着部と、貼着部の外側となる左右端位置に配置される脚部を有し、前記貼着部を覆うように設置可能な固定プレートとを有し、
前記脚部を下に向けた状態ではバンドによる光ファイバコードの固定を可能とし、反転して前記脚部を上に向けた状態では前記貼着部と固定プレートによる光ファイバコードの挟持固定が可能であって、前記貼着部に光ファイバコードを仮保持させて前記固定プレートにより固定可能としたことを特徴とする。
【０００６】
請求項２の発明は、請求項１の発明において、テンションメンバ支持部と貼着部とを専用の支持台上に形成すると共に、その支持台に固定プレートの脚部を挿入可能な挿入溝を設け、固定プレートの脚部を前記挿入溝に挿入した状態と挿入しない状態との２通りで設置可能として構成される。
【０００７】
請求項３の発明は、請求項１の発明において、貼着部が、その下部に緩衝材を有して構成される。
【０００８】
【発明の実施の形態】
以下、本発明を具体化した実施の形態を、図面を基に詳細に説明する。図１は本発明に係る光ファイバコード（以下コードと称する）の支持構造の１例を示すコード支持部の分解斜視図であり、コード支持部１はコード２を載置する支持台４と支持台４上にコード２を支持固定する固定プレート５とから成り、支持台４は光ファイバ接続用ケースの底板６にネジ７ａによりネジ止め固定され、固定プレート５は支持台４にネジ７ｂによりネジ止め固定される。
【０００９】
支持台４は側辺４ａを有する台状略四角形状で、奥側となる１辺にテンションメンバ支持部３を形成し、角座付ネジ８によりテンションメンバ１２を挟持固定可能となっている。そして、９は粘着シートから成る貼着部であり、テンションメンバ支持部３の幅に合わせた幅を有し、テンションメンバ支持部３の手前となるコード２の引き込み側に形成され、テンションメンバ支持部３の各角座付ネジ８の位置に合わせてコード２を貼り付け可能となっている。尚、１０は角座付ネジ８の空転を防止するためのボスであり、２ａは光ファイバである。
このように、貼着部をテンションメンバ支持部の手前に設けることで、個々のコードの仮保持が可能であり、テンションメンバの挟持操作もスムーズに行うことができるし、各コードの引き込み量の調整も容易に行うことができ、コードの一括支持固定を容易に行うことができる。
【００１０】
固定プレート５は、貼着部９全体を覆う幅を有する金属製の板体で、長手側である左右両端にネジ７ｂを挿通するネジ挿通孔５ａを有し、４隅には脚部５ｂが形成されている。ただし、図１では固定プレート５は反転され脚部５ｂは上向きとなっている。また、１１はコード２を保護するための緩衝材であり、弾性或いは柔軟性を有するもので良く例えば樹脂製のスポンジ，不織布又はゴム板等を用いれば良い。
【００１１】
図２、図３は上記コード支持部１のコード支持形態を示している。図２では、貼着部９に仮保持したコード２を緩衝材１１を介して反転させた固定プレート５と支持台４により挟持してコードを支持固定し、テンションメンバ１２を角座付ネジ８によりテンションメンバ支持部３に支持している。
【００１２】
図３では、バンドにより支持固定する形態を示し、固定プレート５を反転せず脚部５ｂを支持台４に当接させて支持台４に載置固定し、固定プレート下部に隙間を形成することで、個々のコード２をバンド１５で固定可能としている。
このように、固定プレートに脚部を設けることで、複数のコードを一括して挟持して支持固定したり、バンドにより個々に固定したりすることが可能となり、状況や現場に応じて支持形態を選択することができる。
【００１３】
図４は本発明の別の実施の形態を示し、支持台１６の左右端部に固定プレート１７の脚部１７ｂを挿入する挿入溝１８が切り込み形成され、また固定プレート１７のネジ挿通孔１７ａは互いに固定プレート１７の短辺側に平行な方向に伸びた長穴１４として形成され、脚部１７ｂを設けた下面には緩衝材１１があらかじめ貼着されている。
更に、支持台１６のテンションメンバ支持部３を形成する奥側１辺には、角座付ネジ８を取り付ける位置に合わせて各座付ネジ８の端部が係止可能な切り欠き２０が形成され、角座付ネジ８の回動が阻止され、テンションメンバ１２の固定作業をスムーズに行うことができるようになっている。
【００１４】
このコード支持部の支持形態を図５，図６を基に説明する。図５では、固定プレート１７の脚部１７ｂをそれぞれに対応する挿入溝１８に挿入して長穴１４を介し支持台１６にネジ止めしている。こうすることで、貼着部９に仮保持したコード２を挟持し、一括して支持固定することができる。
また図６では、脚部１７ｂを挿入溝１８に挿入せず、その近傍の支持台１６上に載置するように長穴１４の範囲内で固定プレート１７をスライドさせて固定している。こうすることで、左右脚部１７ｂの間となる固定プレート１７の下部に形成された隙間を利用して個々のコード２をバンド１５により固定することができる。
【００１５】
このように、支持台に挿入溝を設け、固定プレートをスライドして設置可能とすることで、固定プレートを反転操作することなくコードの支持固定形態を選択することができる。また、この場合緩衝材を固定プレートの裏面にあらかじめ貼着しておいても良い。
【００１６】
尚、緩衝材の表面に貼着面を形成し支持台に取り付けて、図７に示すように貼着部と兼用としても良く、そうすれば固定プレートで支持する際に別途緩衝材を設ける必要が無くなり、部材を削減することができる。また、固定プレートの脚部を挿入する挿入溝は側部からの切り込みにより形成しなくとも良く、貫通孔として形成しても良い。その他、各部の形状並びに構成を、本発明の趣旨を逸脱しない範囲で適宜変更して具体化することも可能である。
【００１７】
【発明の効果】
以上詳述したように、請求項１の発明によれば、光ファイバコードを支持する際、一旦コードを貼着部に貼り付けて仮支持できるので、複数本の光ファイバコードの引き込み量を揃えて一括して支持する操作を容易に行うことができる。
また、固定プレートを反転して脚部を上に向け、固定プレート上面を貼着部に仮支持された光ファイバコードに押圧して設置すれば、一括して支持固定することができるし、反転せず脚部を下に向けて設置すれば、固定プレート下部に隙間が形成され、バンドにより光ファイバコードを個別に固定することが可能となり、状況に応じて支持形態を選択することができる。
【００１８】
請求項２の発明によれば、請求項１の効果に加えて、固定プレートを支持台に設けた挿入溝に脚部を挿入して設置する状態と、固定プレートの位置をずらして脚部を挿入せず、支持台上に載置して固定する状態の２通りの選択ができ、光ファイバコードを固定プレートによる挟持支持とバンドによる支持の選択を、固定プレートを反転せず容易に行うことができる。
【００１９】
請求項３の発明によれば、請求項１の効果に加えて、緩衝材を別途設けることなく光ファイバケーブルを無理なく支持固定することができる。
【図面の簡単な説明】
【図１】本発明の実施の形態の一例を示す光ファイバコード支持構造の斜視図である。
【図２】図１の使用形態を示す斜視図である。
【図３】図１の他の使用形態を示す斜視図である。
【図４】本発明の他の実施の形態を示す光ファイバコード支持構造の斜視図である。
【図５】図４の使用形態を示す斜視図である。
【図６】図４の他の使用形態を示す斜視図である。
【図７】本発明の他の実施の形態を示す支持台の斜視図である。
【符号の説明】
１・・コード支持部、２・・光ファイバコード、３・・テンションメンバ支持部、４・・支持台、５・・固定プレート、５ａ・・ネジ挿通孔、５ｂ・・脚部、９・・貼着部、１１・・緩衝材、１４・・長穴、１６・・支持台、１７・・固定プレート、１７ａ・・ネジ挿通孔、１７ｂ・・脚部、１８・・挿入溝。
【図１】
0003665219.tif 000002
【図２】
0003665219.tif 000003
【図３】
0003665219.tif 000004
【図４】
0003665219.tif 000005
【図５】
0003665219.tif 000006
【図６】
0003665219.tif 000007
【図７】
0003665219.tif 000008